(57)【要約】【課題】視野角が広い立体的二次元画像表示装置を提供する。【解決手段】二次元画像を表示する画像表示面１１を備えた表示部１０と、画像表示面１１に離間して配置されたマイクロレンズアレイ２０と、から構成され、画像表示面１１から出射される光をマイクロレンズアレイ２０の表示部１１とは反対側に位置する空間中の結像面５に結像して、立体的二次元画像を表示する立体的二次元画像表示装置１であって、表示部１０は、画像表示面１１から２つの方向に二次元画像を表示出力し、マイクロレンズアレイ２０は、２つのマイクロレンズアレイ半体２１の光軸が一致した状態から、一のマイクロレンズアレイ半体２１を左右方向に半レンズピッチずらして配置し、立体的二次元画像は、表示部１０から表示出力された二次元画像の２つの方向に応じた結像面５１及び５２に表示される。【選択図】図１
2007272137.tif 000002
【特許請求の範囲】
【請求項１】
二次元画像を表示する画像表示面を備えた表示部と、前記画像表示面に離間して配置された画像伝達パネルと、から構成され、前記画像表示面から出射される光を前記画像伝達パネルの前記表示部とは反対側に位置する空間中の結像面に結像して、立体的二次元画像を表示する立体的二次元画像表示装置であって、
前記表示部は、
前記画像表示面から複数の異なる方向に二次元画像を表示出力し、
前記画像伝達パネルは、
その両面に光軸を一致させて設置された１対のマイクロ凸レンズを隣接して二次元状に配置したマイクロレンズアレイ半体を２つ備え、
２つの前記マイクロレンズアレイ半体の光軸が一致した状態から、一の前記マイクロレンズアレイ半体を、前記マイクロ凸レンズが隣接する方向に、隣接する前記マイクロ凸レンズの中心間距離であるレンズピッチの半分ずらして配置し、
前記立体的二次元画像は、
前記表示部から表示出力された二次元画像の複数の異なる方向に対応した前記結像面にそれぞれ表示されることを特徴とする立体的二次元画像表示装置。
【請求項２】
前記表示部から出力される主光線と、前記画像伝達パネルの主光線とは略一致していることを特徴とする請求項１記載の立体的二次元画像表示装置。
【請求項３】
それぞれの前記結像面に表示された立体的二次元画像の表示位置は、略一致することを特徴とする請求項１記載の立体的二次元画像表示装置。
【請求項４】
複数の異なる方向に表示される立体的二次元画像の光の方向が、運動視差に基づく立体視を可能とするように設定されていることを特徴とする請求項３記載の立体的二次元画像表示装置。
【請求項５】
複数の異なる方向に表示される立体的二次元画像の光の方向が、両眼視差に基づく立体視を可能とするよう設定されていることを特徴とする請求項３記載の立体的二次元画像表示装置。
【請求項６】
前記表示部は、異なる２方向に二次元画像を表示出力することを特徴とする請求項１乃至５のいずれか１項に記載の立体的二次元画像表示装置。
【請求項７】
前記画像伝達パネルは、前記異なる２方向からの光を結像することを特徴とする請求項６記載の立体的二次元画像表示装置。
【発明の詳細な説明】
【技術分野】
【０００１】
本発明は、二次元画像を擬似立体的に表示する立体的二次元画像表示装置に関する。
【背景技術】
【０００２】
マイクロレンズアレイ（画像伝達パネル）を、二次元画像の表示面の前方に所定の間隔を隔てて配置することにより、マイクロレンズアレイの前方の空間上に、二次元画像の擬似立体画像を表示する立体的二次元画像表示装置が知られている（例えば、特許文献１、特許文献２参照。）。
【０００３】
【特許文献１】特開２００１−２５５４９３号公報
【特許文献２】特開２００３−９８４７９号公報
【発明の開示】
【発明が解決しようとする課題】
【０００４】
上述した従来の立体的二次元画像表示装置においては、視野角に制限があるので、視野角の外では、表示される擬似立体画像を正しく視認できず、擬似立体画像が持つ臨場感やアミューズメント性を体験できないという問題がある。
【０００５】
本発明は、上記の問題を解決するためになされたものであり、その課題の一例としては、視野角が広い立体的二次元画像表示装置を提供することにある。
【課題を解決するための手段】
【０００６】
上記の課題を達成するため、請求項１記載の立体的二次元画像表示装置は、二次元画像を表示する画像表示面を備えた表示部と、前記画像表示面に離間して配置された画像伝達パネルと、から構成され、前記画像表示面から出射される光を前記画像伝達パネルの前記表示部とは反対側に位置する空間中の結像面に結像して、立体的二次元画像を表示する立体的二次元画像表示装置であって、前記表示部は、前記画像表示面から複数の異なる方向に二次元画像を表示出力し、前記画像伝達パネルは、その両面に光軸を一致させて設置された１対のマイクロ凸レンズを隣接して二次元状に配置したマイクロレンズアレイ半体を２つ備え、２つの前記マイクロレンズアレイ半体の光軸が一致した状態から、一の前記マイクロレンズアレイ半体を、前記マイクロ凸レンズが隣接する方向に、隣接する前記マイクロ凸レンズの中心間距離であるレンズピッチの半分ずらして配置し、前記立体的二次元画像は、前記表示部から表示出力された二次元画像の複数の異なる方向に対応した前記結像面にそれぞれ表示されることを特徴とする。
【発明を実施するための最良の形態】
【０００７】
以下、本発明の実施の形態を図面を用いて説明する。
【０００８】
図１は、本発明の実施の形態に係る立体的二次元画像表示装置１の概略構成図である。立体的二次元画像表示装置１は、観察者が立体表示であると視認可能な二次元画像を空間中の所定の平面上に表示する擬似立体画像表示装置である。
【０００９】
立体的二次元画像表示装置１は、表示部１０及びマイクロレンズアレイ２０（画像伝達パネル）から構成され、二次元画像を空間中の平面上に表示する立体画像表示部２、表示部１０を駆動制御するディスプレイ駆動部３、及び表示すべき画像データを生成する画像生成部４を備えている。
【００１０】
表示部１０は、観察者Ｈと対向して、二次元画像を表示する画像表示面１１を備えている。具体的には、表示部１０は、液晶ディスプレイから構成されており、ディスプレイ駆動部３の駆動信号に応じた画像を画像表示面１１に表示するようになっている。すなわち、画像表示面１１から画像に応じた光が出射される。
【００１１】
また、本実施の形態の表示部１０は、異なる２方向に光を出射可能な液晶ディスプレイとなっている。すなわち、図１に示すように、画像表示面１１から第１の方向ｄ１及び第２の方向ｄ２に主光線が出射されるようになっている。なお、主光線が第１の方向ｄ１に出射される光を第１の光（第１の方向ｄ１±角度αの広がりを持つ光；第１の方向ｄ１±角度αの広がりの方向を第１の広がり方向ｄ１０という）といい、第１の光により出力表示される画像を第１の画像という。同様にして、主光線が第２の方向ｄ２に出射される光を第２の光（第２の方向ｄ２±角度αの広がりを持つ光；第２の方向ｄ２±角度αの広がりの方向を第２の広がり方向ｄ２０という）といい、第２の光により出力表示される画像を第２の画像という。第１の画像及び第２の画像は、表示内容が異なるものであってもよいし、同一のものであってもよい。
【００１２】
ここで、図２を参照して、異なる２方向に光を出射可能な液晶ディスプレイの原理を簡単に説明する。なお、本実施の形態の表示部１０は、図２に示すような視差バリア方式を採用しているが、これ以外の方式でもよく、例えば、時分割方式（フィールドシーケンシャル方式）などを採用してもよい。
【００１３】
表示部１０は、図２に示すように、左右方向（Ｘ方向）に画素単位に第１の画像Ｐ１及び第２の画像Ｐ２を交互に配置して表示する液晶表示部１２、液晶表示部１２の背後から照明光を照射するバックライト１３、及び液晶表示部１３から出射された光の進む方向を制御する視差バリア部１４を具備する構成である。
【００１４】
視差バリア部１４は、光の透過領域と遮断領域とが左右方向（Ｘ方向）にストライプ状に形成されているため、光の出射方向が制御され、液晶表示部１２から出射された第１の画像Ｐ１は第１の方向ｄ１、第２の画像Ｐ２は第２の方向ｄ２に表示出力されることとなる。ここで、図２においては主光線の方向のみ表示しているが、図１と同様に、第１の画像Ｐ１及び第２の画像は、所定の広がりをもって出射されている。なお、光の遮断領域の幅によって、第１の方向ｄ１及び第２の方向ｄ２の角度を変化させることができる。
【００１５】
マイクロレンズアレイ２０は、２枚のレンズアレイ半体２１が互いに平行に配列されて構成されている。各レンズアレイ半体２１は、透光性に優れたガラスまたは樹脂からなる透明基板２２の両面に、同一の曲率半径を有する複数の微小なマイクロ凸レンズ２３をマトリクス状に互いに隣接配置したものである。一面に形成された各マイクロ凸レンズ２３の光軸は、対向する位置に形成された他面のマイクロ凸レンズ２３の光軸と同一となるように調整されている。すなわち、同一の光軸を有するように調整されたマイクロ凸レンズ２３の各対は、それぞれの光軸が互いに平行になるように、２次元状に配列されている。
【００１６】
また、各レンズアレイ半体２１は、図１に示すように、２枚のレンズアレイ半体２１の光軸が一致した状態から、左右方向（Ｘ方向）に半レンズピッチｗ／２ずれて配置されている。ここで、レンズピッチとは、隣接するマイクロ凸レンズ２３の中心間距離ｗをいう。このため、マイクロレンズアレイ２０は、斜めの方向（具体的には、第１の広がり方向ｄ１０及び第２の広がり方向ｄ２０）から入射する光に対して、結像可能となっている。すなわち、２枚のレンズアレイ半体２１を半レンズピッチｗ／２ずらして配置することにより、画像表示面１１から出射された光は、２枚のレンズアレイ半体２１に配置されたマイクロ凸レンズ２３のそれぞれに対して、結像可能な有効範囲を透過することができるようになっている（半レンズピッチｗ／２ずらさないと、斜め２方向からの光を適切に結像することはできない）。ここで、図１において左側のレンズアレイ半体２１の左側の面に配置された凸レンズ２３の略中心と、右側のレンズアレイ半体２１の右側の面に配置された凸レンズ２３の略中心を結ぶ直線をマイクロレンズアレイ２０の主光線という。図１においては、マイクロレンズアレイ２０の主光線は、表示部１０から出射される主光線とその方向（第１の方向ｄ１及び第２の方向ｄ２）が一致するように、調整されている。
【００１７】
このように、本実施の形態では、表示部１０から出射される主光線の角度と、マイクロレンズアレイ２０の主光線の角度と最適化しているので、良好な結像が可能となっているが、具体的には、表示部１０から出射される主光線の角度に合わせて、マイクロ凸レンズ２３の曲率半径、レンズピッチ、厚さ等を調整するものである。図３は、表示部１０から出射される主光線の角度に合わせて、マイクロ凸レンズ２３のレンズピッチ及びマイクロ凸レンズ２３の厚さを変更し、最適化した一例を示している。
【００１８】
図３（ａ）は、表示部１０から出射される２つの主光線の角度がそれぞれβ（Ｚ軸方向との角度）の場合のマイクロレンズアレイ２０の最適化パラメータを示しており、マイクロ凸レンズ２３のレンズピッチはｗ１、１対のマイクロ凸レンズ２３の厚さはｅ１となっている。
【００１９】
図３（ｂ）は、表示部１０から出射される２つの主光線の角度がそれぞれβ１（Ｚ軸方向との角度；β１＞β）の場合のマイクロレンズアレイ２０の最適化パラメータを示しており、マイクロ凸レンズ２３のレンズピッチはｗ１、１対のマイクロ凸レンズ２３の厚さはｅ２（＜ｅ１）となっている。図３（ｂ）は、図３（ａ）よりも主光線の角度を深くした場合であり、この場合には、マイクロ凸レンズ２３の厚さを薄くすればよいことがわかる。すなわち、マイクロ凸レンズ２３の厚さを薄くすれば、より角度が深い主光線に対応できるようになる。逆に、マイクロ凸レンズ２３の厚さを厚くすれば、より角度が浅い主光線に対応できるようになる。
【００２０】
図３（ｃ）は、表示部１０から出射される２つの主光線の角度がそれぞれβ２（Ｚ軸方向との角度；β２＜β）の場合のマイクロレンズアレイ２０の最適化パラメータを示しており、マイクロ凸レンズ２３のレンズピッチはｗ２（＜ｗ１）、１対のマイクロ凸レンズ２３の厚さはｅ１である。図３（ｃ）は、図３（ａ）よりも主光線の角度を浅くした場合であり、この場合には、マイクロ凸レンズ２３のレンズピッチを短くすればよいことがわかる。すなわち、マイクロ凸レンズ２３のレンズピッチを短くすれば、より角度の浅い主光線に対応できるようになる。逆に、マイクロ凸レンズ２３のレンズピッチを長くすれば、より角度の深い主光線に対応できるようになる。
【００２１】
なお、本実施の形態では、表示部１０の主光線の方向に合わせて、マイクロレンズアレイ２０の主光線の方向を最適化する方法を示したが、これとは別に、マイクロレンズアレイ２０の主光線の方向に合わせて、表示部１０の主光線の方向を最適化するようにしてもよい。
【００２２】
マイクロレンズアレイ２０は、表示部１０の画像表示面１１に対して平行に所定距離（マイクロレンズアレイ２０の作動距離）だけ離れた位置に配置されている。マイクロレンズアレイ２０は、表示部１０の画像表示面１１から出射した画像に対応する光を画像表示面１１と反対側の所定距離（マイクロレンズアレイ２０の作動距離）だけ離れた立体画像表示面５上に結像させることにより、画像表示面１１に表示された画像を空間上の二次元平面である立体画像表示面５上に表示するようになっている。この結像された画像は二次元画像であるが、その画像が奥行き感を持つものである場合やディスプレイ上の背景画像が黒くコントラストが強調されているような場合には、空間上に浮いて表示されることから、観察者Ｈからは、あたかも立体画像が映し出されているように見える。以下、立体画像表示面５に表示される二次元画像を立体的二次元画像という。
【００２３】
ここで、立体画像表示面５は、空間上に仮想的に設定される平面であって実体物ではなく、マイクロレンズアレイ２０の作動距離に応じて定義される空間上の１平面である。詳しくは、本実施の形態においては、表示部１０の画像表示面１１には、第１の画像Ｐ１及び第２の画像Ｐ２が表示されており、この画像に対応した光がそれぞれ第１の広がり方向ｄ１０及び第２の広がり方向ｄ２０に出射されるから、第１の立体的二次元画像Ｐ１は、第１の立体画像表示面５１、第２の立体的二次元画像Ｐ２は、第２の立体画像表示面５２に表示されることとなる。すなわち、観察者Ｈは、第１の観察方向Ｓ１０（第１の広がり方向ｄ１０と反対の方向）には、立体的二次元画像Ｐ１を視認可能であり、また、第２の観察方向Ｓ２０（第２の広がり方向ｄ２０と反対の方向）には、立体的二次元画像Ｐ２を視認可能である。
【００２４】
ディスプレイ駆動部３は、表示部１０を駆動制御するようになっており、詳しくは、画像生成部４から供給される画像データに応じて、画像データに対応した画像を表示部１０の画像表示面１１に表示させるようになっている。
【００２５】
画像生成部４は、表示部１０に表示される画像データを生成し、提供するものであり、例えば所定のプログラムに応じて画像を生成するように構成されている。なお、画像生成部４は、予め所定の画像が記憶された画像記憶部を備え、記憶された画像をディスプレイ駆動部３に出力するように構成してもよい。
【００２６】
ディスプレイ駆動部３と画像生成部４は、異なる２方向に光を出射可能な表示部１０に対応して、２方向の画像データを同時及び独立に生成し駆動制御することが可能である。
【００２７】
このように、本実施の形態に係る立体的二次元画像表示装置１は、異なる２方向に光を出射可能な表示部１０を備え、２枚のレンズアレイ半体２１を左右方向にマイクロ凸レンズの半レンズピッチずらして配置しているので、広い視野角を実現可能であり、観察者Ｈは、臨場感ある効果的な立体表示を広い視野角で視認することができる。
【００２８】
すなわち、本実施の形態に係る立体的二次元画像表示装置１は、１つの表示部１０及び１つのマイクロレンズアレイ２０を備え、かつ２枚のレンズアレイ半体２１を半レンズピッチずらして配置するというだけのコンパクトかつシンプルな構成により、広視野角化を実現することができる。
【００２９】
なお、本実施の形態においては、第１の立体的二次元画像Ｐ１及び第２の立体的二次元画像を左右方向（Ｘ方向）にずらして表示したが、これとは別に、上下方向（Ｙ方向）にずらして表示する立体的二次元画像表示装置１であってもよい。すなわち、上下の異なる方向に光を出射する表示部１０、２枚のレンズアレイ半体２１を上下方向に半レンズピッチずらして配置したマイクロレンズアレイ２０を用いて、立体的二次元画像表示装置１を構成してもよい。
【００３０】
以下、立体的二次元画像表示装置１の利用例を具体的に説明する。なお、以下の実施例においては、表示部１０から出射される２つの主光線の角度、表示部１０に表示される２つの画像の表示位置等を最適に調整することで、それぞれの立体的二次元画像表示装置１を実現している。
【００３１】
（実施例１）
図４は、第１の立体画像表示面５１と第２の立体画像表示面５２の一部が左右方向（Ｘ方向）に重なる場合の立体的二次元画像表示装置１Ａを示している。この場合には、第１の立体的二次元画像Ｐ１と第２の立体的二次元画像Ｐ２を同じ画像としたときには、視野角を拡大することができる。例えば、図８（ａ）に示すようにビール缶の画像を表示する場合には、より広い視野範囲でビール缶の画像を視認することができる。また、第１の立体的二次元画像Ｐ１と第２の立体的二次元画像Ｐ２を異なる画像としたときには、運動視差を利用した立体的な表示を行うことができる。例えば、第１の立体的二次元画像Ｐ１及び第２の立体的二次元画像Ｐ２を図８（ｂ）に示すような立方体を別の角度から見た画像とした場合には、運動視差を利用して、やや左側から見たときは、立方体を左斜めから見た画像、やや右側から見たときは、立方体を右斜めから見た画像を認識することができる。
【００３２】
（実施例２）
図５は、第１の立体画像表示面５１と第２の立体画像表示面５２が全面重なって、同じ位置に第１の立体的二次元画像Ｐ１及び第２の立体的二次元画像Ｐ２が表示される場合の立体的二次元画像表示装置１Ｂを示している。この場合にも、第１の立体的二次元画像Ｐ１と第２の立体的二次元画像Ｐ２を異なる画像としたときには、運動視差を利用した立体的な表示、さらには見る方向によって画像が切り替わる演出的な表示や両眼視差を利用した立体表示などを行うことができる。例えば、上述した図８（ｂ）のような立方体の画像を運動視差又は両眼視差を利用して立体として認識することができる。なお、実施例１との違いとしては、第２実施例では、同じ位置に第１の立体的二次元画像Ｐ１及び第２の立体的二次元画像Ｐ２が表示されるので（例えば、図８（ｂ）に示す立方体は同一の位置に表示される）、運動視差を利用する場合には、違和感なくシームレスに第１の立体的二次元画像Ｐ１と第２の立体的二次元画像Ｐ２を切り替えて、視認することができる（好適には、さらに観察者Ｈの第１の観察方向Ｓ１０及び第２の観察方向Ｓ２０と、第１の立体的二次元画像Ｐ１及び第２の立体的二次元画像Ｐ２に表示される画像の観察方向が、それぞれ一致するように画像データを生成すると、より自然な画像として認識される）。従って、図８（ｃ）に示すような同一物の関連ある内容を表示する場合（第１の立体的二次元画像Ｐ１として、ビール缶の画像、第２の立体的二次元画像Ｐ２としてビール缶の中身が見えるような画像の場合）には、より効果的な演出を行うことができる。また、両眼視差を利用したときには、左目には立方体を左斜めから見た画像、右目には立方体を右斜めから見た画像が映し出されるので、立方体を立体として認識することができる。この場合、異なる２方向に出射される光の角度は、各々の光が適切に左目と右目に入射されるように角度を設定しなければならない。
【００３３】
第１の立体的二次元画像Ｐ１及び第２の立体的二次元画像Ｐ２を同じ位置に表示するためには、表示部１０の画像表示面１１に第１の画像及び第２の画像を表示する左右方向（Ｘ方向）の位置を考慮する必要ある。図５に示すように、第１の画像は画面表示面１１の右側、第２の画像は画面表示面１１の左側にシフトさせて表示することによって、マイクロレンズアレイ２０によって結像される第１の立体的二次元画像Ｐ１と第２の立体的二次元画像Ｐ２は、同じ位置に重なって表示される。この場合、同じ位置に表示できる立体的二次元画像のサイズは、表示部１０の画像表示面１１のサイズに対して大きさが制限される。つまり、図４における第１の立体画像表示面５１と第２の立体画像表示面５２が重なる部分のみを使用して立体的二次元画像を表示している。
【００３４】
（実施例３）
図６は、第１の立体画像表示面５１と第２の立体画像表示面５２を左右方向（Ｘ方向）に隣接して並べる場合の立体的二次元画像表示装置１Ｃを示している。この場合には、第１の立体的二次元画像Ｐ１と第２の立体的二次元画像Ｐ２を同じ画像としたときには、視野角を拡大することができる。例えば、図８（ａ）に示すようにビール缶を表示する場合には、より広い視野範囲でビール缶の画像を視認することができる。また、第１の立体的二次元画像Ｐ１と第２の立体的二次元画像Ｐ２を異なる画像としたときには、例えば、図９（ａ）に示すように、第１の画像Ｐ１を左半分の画像（天使の左半分の画像）、第２の画像Ｐ２を右半分の画像（天使の右半分の画像）として、横画面サイズを拡大した立体的二次元画像Ｐ１＋Ｐ２（天使の画像）を視認することができる。
【００３５】
（実施例４）
図７は、第１の立体画像表示面５１と第２の立体画像表示面５２を左右方向（Ｘ方向）に離して配置した場合の立体的二次元画像表示装置１Ｄを示している。この場合にも、第１の立体的二次元画像Ｐ１と第２の立体的二次元画像Ｐ２を同じ画像としたときには、視野角を拡大することができる。なお、実施例４は、視野角が上記実施例と比べて一番広いので、より多くの人が観察する場合に適している。また、第１の立体的二次元画像Ｐ１と第２の立体的二次元画像Ｐ２を異なる画像としたときには、例えば、図９（ｂ）に示すように、観察する方向によって全く関連のない内容（第１の立体的二次元画像Ｐ１として、ビール缶の画像、第２の立体的二次元画像Ｐ２として自動車の画像）を表示するようにしてもよい。
【００３６】
以上、本発明の実施の形態及び実施例について説明してきたが、本発明の要旨を逸脱しない範囲において、本発明の実施の形態及び実施例に対して種々の変形や変更を施すことができる。
【００３７】
例えば、上記実施の形態及び実施例においては、表示部１０の画像表示面１１から異なる２方向に主光線が出射されるようになっていたが、表示部１０の画像表示面１１から出射される主光線の方向は２方向に限定されるものではなく、２方向以上であってもよい。図１０は、表示部１０Ａの画像表示面１１から異なる４方向に光が出射される場合においては、マイクロレンズアレイ２０Ａは、２方向の場合と同様に、各レンズアレイ半体２１を左右方向（Ｘ方向）に半レンズピッチずらして配置されている。この結果、４つの立体的二次元画像は、４つの立体画像面５１、５２、５３及び５４にそれぞれ表示される。
【００３８】
このように、本発明の立体的二次元画像表示装置は、異なる２方向以上に主光線を出射可能な液晶ディスプレイを備えた表示部であっても、対応することができる。
【００３９】
以上説明したように、本発明の一実施形態の立体的二次元画像表示装置１は、二次元画像を表示する画像表示面１１を備えた表示部１０と、画像表示面１１に離間して配置されたマイクロレンズアレイ２０と、から構成され、画像表示面１１から出射される光をマイクロレンズアレイ２０の表示部１０とは反対側に位置する空間中の結像面５に結像して、立体的二次元画像を表示する立体的二次元画像表示装置であって、表示部１０は、画像表示面１１から複数の異なる方向に二次元画像を表示出力し、  マイクロレンズアレイ２０は、その両面に光軸を一致させて設置された１対のマイクロ凸レンズ２３を隣接して二次元状に配置したマイクロレンズアレイ半体２１を２つ備え、２つのマイクロレンズアレイ半体２１の光軸が一致した状態から、一のマイクロレンズアレイ半体２１を、マイクロ凸レンズ２３が隣接する方向に、隣接するマイクロ凸レンズ２３の中心間距離であるレンズピッチの半分ずらして配置し、立体的二次元画像は、表示部１１から表示出力された二次元画像の複数の異なる方向に対応した結像面５１、５２、…にそれぞれ表示されるので、視野角が広い立体的二次元画像表示装置を提供することができる。
【図面の簡単な説明】
【００４０】
【図１】本発明の実施の形態に係る立体的二次元画像表示装置の概略構成図である。
【図２】本発明の実施の形態に係る立体的二次元画像表示装置の表示部の概略構成の一例を示す図である。
【図３】本発明の実施の形態に係る立体的二次元画像表示装置の表示部の主光線とマイクロレンズアレイの主光線の最適化を説明する図である。
【図４】本発明の実施の形態に係る立体的二次元画像表示装置の一実施例（立体画像表示面が一部重なる場合）を説明する図である。
【図５】本発明の実施の形態に係る立体的二次元画像表示装置の一実施例（立体画像表示面が一致する場合）を説明する図である。
【図６】本発明の実施の形態に係る立体的二次元画像表示装置の一実施例（立体画像表示面が隣接して配置される場合）を説明する図である。
【図７】本発明の実施の形態に係る立体的二次元画像表示装置の一実施例（立体画像表示面が離れて配置される場合）を説明する図である。
【図８】図９とともに、２つの立体画像表示面に表示される立体的二次元画像の一例である。
【図９】図８とともに、２つの立体画像表示面に表示される立体的二次元画像の一例である。
【図１０】本発明の他の実施の形態に係る立体的二次元画像表示装置の概略構成図である。
【符号の説明】
【００４１】
１，７  立体的二次元画像表示装置
２  立体画像表示部
３  ディスプレイ駆動部
４  画像生成部
５  立体画像表示面
１０  表示部
１１  画像表示面
１２  液晶表示部
１３  バックライト
１４  視差バリア部
２０  マイクロレンズアレイ
２１  レンズアレイ半体
２２  透明基板
２３  マイクロ凸レンズ
５１  第１の画像表示面
５２  第２の画像表示面
【図１】
2007272137.tif 000003
【図２】
2007272137.tif 000004
【図３】
2007272137.tif 000005
【図４】
2007272137.tif 000006
【図５】
2007272137.tif 000007
【図６】
2007272137.tif 000008
【図７】
2007272137.tif 000009
【図８】
2007272137.tif 000010
【図９】
2007272137.tif 000011
【図１０】
2007272137.tif 000012